(57)【要約】【課題】外装物品の型崩れを防止するとともに、包装体の陳列に必要なスペースを小さくする。【解決手段】包装体５０は、おむつカバーまたは吸収性物品の着用に用いられる下着である外装物品１、包装部材３およびハンガー７を備える。外装物品１は、変形可能なハンガー７に保持された状態で、ハンガー７と共に縦長状に折り畳まれて、あるいは、縦長状に丸められて包装部材３の筒状部３１に収容される。そして、店頭等において、ハンガー７の吊り下げ部７１が、陳列棚の吊り下げ用金具等にかけられることにより、包装体５０が、包装部材３の底部３２を下にして、吊り下げられた状態で陳列される。このように、外装物品１がハンガー７に保持された状態とされることにより、外装物品１の型崩れを防止することができるとともに、外装物品１が縦長状に折り畳まれ、あるいは、丸められることにより、包装体５０の陳列に必要なスペースを小さくすることができる。【選択図】図１
2012240715.tif 000002
【特許請求の範囲】
【請求項１】
おむつカバーまたは吸収性物品の着用に用いられる下着である外装物品を包装した包装体であって、
上端に吊り下げ部を有し、変形可能なハンガーと、
前記ハンガーに保持された状態で、前記ハンガーと共に縦長状に畳まれた、または、丸められた外装物品と、
前記外装物品および前記ハンガーを内部に収容する筒状部を有する包装部材と、
を備えることを特徴とする包装体。
【請求項２】
請求項１に記載の包装体であって、
前記外装物品および前記ハンガーを展開した状態で、前記ハンガーが、前記外装物品の左右の端部内にて上下方向に延びる一対の側部保形部を備えることを特徴とする包装体。
【請求項３】
請求項２に記載の包装体であって、
前記一対の側部保形部の下端部が、前記外装物品の一対の脚部開口の上部と係合することを特徴とする包装体。
【請求項４】
請求項２に記載の包装体であって、
前記ハンガーが、左右方向に広げられた状態において、
着用者の胴部に対応するハンガー胴部と、
着用者の一対の脚部の付け根部に対応する一対のハンガー脚部と、
を備え、
前記ハンガー胴部の左右の両側部が、前記一対の側部保形部であり、
前記一対のハンガー脚部の上端部が、前記外装物品の一対の脚部開口の上部と係合することを特徴とする包装体。
【請求項５】
請求項２ないし４のいずれかに記載の包装体であって、
前記一対の側部保形部の下端を下にして自立可能であることを特徴とする包装体。
【請求項６】
請求項１ないし５のいずれかに記載の包装体であって、
前記包装部材の外周に沿って、前記筒状部に脆弱線が設けられることを特徴とする包装体。
【発明の詳細な説明】
【技術分野】
【０００１】
本発明は、おむつカバーまたは吸収性物品の着用に用いられる下着である外装物品を包装した包装体に関する。
【背景技術】
【０００２】
従来より、使い捨ておむつを着用者に密着させてずれを防止するために、特許文献１に示されるように、使い捨ておむつの外側を覆うように装着されるおむつカバーが利用されている。また、軽失禁パッドのような吸収性物品の外側に装着されて、吸収性物品を着用者に密着させるショーツ等の下着も利用されている。このようなおむつカバーやショーツ等の外装物品は、通常、略矩形状に薄く折り畳まれて薄いシート状の包装袋に収容された状態で、店頭等の陳列棚に吊り下げられたり、平積みされて陳列される。
【０００３】
一方、特許文献２では、タオル等を展示または陳列する場合に用いられる吊り下げ表示紙が提案されている。当該吊り下げ表示紙では、タオル等を円柱状に巻いた状態で止め付ける帯状紙部、および、帯状紙部に連続する吊り下げ紙部を備える。
【先行技術文献】
【特許文献】
【０００４】
【特許文献１】特開２００３−１９０２１３号公報
【特許文献２】特開２００１−３３５０６３号公報
【発明の概要】
【発明が解決しようとする課題】
【０００５】
ところで、上述のように、外装物品を包装袋に収容した包装体を吊り下げて陳列すると、外装物品が重力により下側に折れ曲がり、包装袋の底部に偏った状態となることがある。このように、外装物品が型崩れした状態では、外装物品の見栄えが悪く、購入予定者の購入意欲を削いでしまうおそれがある。また、包装袋の底部近傍が大きく膨れてしまい、包装体の陳列に必要なスペースが大きくなってしまう。一方、包装体を平積みして陳列した場合、外装物品の型崩れが生じる可能性は低くなるが、包装体の陳列に必要なスペースは、さらに大きくなってしまう。さらに、外装物品は柔軟な製品であり、購入予定者に柔らかな印象を与えることが購買意欲の向上につながる可能性が高いが、上述のように、外装物品を略矩形状に薄く折り畳んで薄い包装袋に収容した状態では、あまり柔らかな印象を与えることができない。
【０００６】
本発明は、上記課題に鑑みなされたものであり、外装物品の型崩れを防止するとともに、包装体の陳列に必要なスペースを小さくすることを主な目的としている。
【課題を解決するための手段】
【０００７】
請求項１に記載の発明は、おむつカバーまたは吸収性物品の着用に用いられる下着である外装物品を包装した包装体であって、上端に吊り下げ部を有し、変形可能なハンガーと、前記ハンガーに保持された状態で、前記ハンガーと共に縦長状に畳まれた、または、丸められた外装物品と、前記外装物品および前記ハンガーを内部に収容する筒状部を有する包装部材とを備える。
【０００８】
請求項２に記載の発明は、請求項１に記載の包装体であって、前記外装物品および前記ハンガーを展開した状態で、前記ハンガーが、前記外装物品の左右の端部内にて上下方向に延びる一対の側部保形部を備える。
【０００９】
請求項３に記載の発明は、請求項２に記載の包装体であって、前記一対の側部保形部の下端部が、前記外装物品の一対の脚部開口の上部と係合する。
【００１０】
請求項４に記載の発明は、請求項２に記載の包装体であって、前記ハンガーが、左右方向に広げられた状態において、着用者の胴部に対応するハンガー胴部と、着用者の一対の脚部の付け根部に対応する一対のハンガー脚部とを備え、前記ハンガー胴部の左右の両側部が、前記一対の側部保形部であり、前記一対のハンガー脚部の上端部が、前記外装物品の一対の脚部開口の上部と係合する。
【００１１】
請求項５に記載の発明は、請求項２ないし４のいずれかに記載の包装体であって、前記一対の側部保形部の下端を下にして自立可能である。
【００１２】
請求項６に記載の発明は、請求項１ないし５のいずれかに記載の包装体であって、前記包装部材の外周に沿って、前記筒状部に脆弱線が設けられる。
【発明の効果】
【００１３】
本発明では、外装物品の型崩れを防止するとともに、包装体の陳列に必要なスペースを小さくすることができる。
【図面の簡単な説明】
【００１４】
【図１】第１の実施の形態に係る包装体を示す斜視図である。
【図２】外装物品およびハンガーを展開した状態で示す平面図である。
【図３】第２の実施の形態に係る包装体の外装物品およびハンガーを展開した状態で示す平面図である。
【発明を実施するための形態】
【００１５】
図１は、本発明の第１の実施の形態に係る包装体５０を示す斜視図である。包装体５０は、おむつカバーまたは吸収性物品の着用に用いられる下着（例えば、軽失禁パッド用のショーツ）である外装物品１を包装部材３により包装したものである。本実施の形態では、おむつカバーが、外装物品１として包装部材３により包装される。
【００１６】
包装体５０は、外装物品１および包装部材３に加えてハンガー７を備える。ハンガー７は、ボール紙、プラスチックフィルム、発泡樹脂等の比較的軟質な材料により形成され、変形可能である。外装物品１は、ハンガー７に保持された状態で、ハンガー７と共に縦長状に折り畳まれている。具体的には、外装物品１の左右の側部が、外装物品１の左右方向の中央部に重なるように、上下方向に略平行な折り返し線にて折り返される。本実施の形態では、外装物品１の両側部が、中央部を挟むように互いに反対側に折り返される。外装物品１は、ハンガー７と共に縦長状に丸められた状態（すなわち、外装物品１の両側部を中央部に向けて丸めた状態）で包装部材３内に収容されもよい。
【００１７】
包装部材３は、外装物品１およびハンガー７を内部に収容する筒状部３１、および、筒状部３１の下端開口を閉塞する略楕円形の底部３２を備える。筒状部３１の上下方向に垂直な断面も略楕円形である。筒状部３１は、透明または半透明のプラスチック等により形成され、内部の外装物品１が視認可能となっている。筒状部３１の上部には、包装部材３の外周に沿って筒状部３１の全周に亘って延びる脆弱線３３が設けられる。本実施の形態では、脆弱線３３は、断続的に形成された直線状の短い切れ目により形成されるミシン目である。包装体５０では、脆弱線３３が破断されることにより、外装物品１を包装部材３から取り出すための開口が形成される。包装部材３の底部３２は、プラスチック等により形成され、ある程度の剛性を有する。このため、包装体５０は、ハンガー７の後述する一対の側部保形部７４の下端を下にした状態で自立可能である。筒状部３１と底部３２とは、一体物として形成されてもよく、別部材として形成されてもよい。
【００１８】
図２は、外装物品１およびハンガー７を包装部材３（図１参照）から取り出して展開した状態（すなわち、折り畳まれた部位を左右に伸ばした状態）で示す平面図である。ハンガー７は、上端に位置する略逆Ｊ字状の吊り下げ部７１、および、吊り下げ部７１の下側に設けられるハンガー本体部７２を備える。ハンガー本体部７２は、吊り下げ部７１の下端から左右方向に延びる水平部７３、および、水平部７３の両端から下側に延びる一対の側部保形部７４を備える。
【００１９】
外装物品１は、着用者の腹側および背側の肌に接する前方部１０１および後方部１０３、並びに、前方部１０１と後方部１０３との間にて着用者の股間部に対向する股下部１０２を備える。後方部１０３の左右両端部には、面ファスナのフック部材１３が設けられる。図２に示すように、後方部１０３の左右両端部のフック部材１３が、前方部１０１に止着されることにより、外装物品１が、胴部開口１１および一対の脚部開口１２を有するパンツ型となる。
【００２０】
ハンガー７の一対の側部保形部７４は、展開した状態の外装物品１の左右の端部内にて、左右方向に垂直な上下方向（すなわち、外装物品１の縦方向）に延び、外装物品１の左右の端部に当接する。側部保形部７４は、外装物品１の胴部開口１１から脚部開口１２の上端に亘って設けられる。一対の側部保形部７４の下端部７５は、左右方向の外側に広がった後に上側へと向かう略Ｕ字状である。一対の下端部７５は、外装物品１の一対の脚部開口１２の上部と係合して外装物品１を係止する。以下の説明では、側部保形部７４の下端部７５を、「係止部７５」と呼ぶ。
【００２１】
外装物品１の販売が行われる店頭等では、図１に示すハンガー７の吊り下げ部７１が、陳列棚の吊り下げ用金具等にかけられることにより、包装体５０が、包装部材３の底部３２を下にして、吊り下げられた状態で陳列される。あるいは、包装部材３が底部３２を下にして陳列棚上に載置されることにより、包装体５０が自立した状態で陳列される。このように、ハンガー７に吊り下げ部７１が設けられるとともに包装体５０が自立可能であるため、包装体５０の陳列方法の選択が可能となっている。
【００２２】
包装体５０では、外装物品１がハンガー７に保持された状態とされることにより、外装物品１の型崩れを防止することができるとともに、外装物品１が縦長状に折り畳まれ、あるいは、丸められることにより、包装体５０の陳列に必要なスペースを小さくすることができる。また、外装物品１が折り畳まれたり丸められた状態で、包装部材３の筒状部３１に収容されることにより、外装物品１の購入者に対して柔らかな印象を与えることができる。さらに、筒状部３１の断面が略楕円形であるため、外装物品１の印象をより柔らかいものとすることができる。
【００２３】
包装体５０では、ハンガー７が、外装物品１の内部にて外装物品１の左右の端部に当接する一対の側部保形部７４を備えることにより、外装物品１の左右の端部が左右方向の中央側に倒れてしまったり、外装物品１が下側へとずれ落ちてしまう等の外装物品１の型崩れがより一層防止される。また、一対の側部保形部７４に、外装物品１の一対の脚部開口１２の上部と係合する係止部７５が設けられることにより、外装物品１が下側へとずれ落ちてしまうことがより一層防止される。その結果、外装物品１の型崩れがさらに防止される。包装部材３では、上述のように、筒状部３１に脆弱線３３が設けられることにより、筒状部３１に容易に開口を形成することができ、当該開口を介して外装物品１を包装部材３内から容易に取り出すことができる。
【００２４】
次に、本発明の第２の実施の形態に係る包装体について説明する。図３は、第２の実施の形態に係る包装体の外装物品１およびハンガー７ａを展開した状態（すなわち、左右に広げられた状態）で示す平面図である。第２の実施の形態に係る包装体では、ハンガー７ａの形状が、図２に示すハンガー７の形状と異なる。その他の構成は、図１および図２に示す包装体５０と同様であり、以下の説明では、対応する構成に同符号を付す。
【００２５】
図３に示すように、ハンガー７ａは、上端に位置する略逆Ｊ字状の吊り下げ部７１、および、吊り下げ部７１の下側に設けられる略矩形状のハンガー本体部７２を備える。ハンガー本体部７２は、着用者の胴部に対応するハンガー胴部７６、および、着用者の一対の脚部の付け根部に対応する一対のハンガー脚部７７を備える。ハンガー本体部７２の左右両側の側部エッジ７２１は、ハンガー胴部７６と一対のハンガー脚部７７との境界近傍にて窪み（すなわち、一対の側部エッジ７２１間の左右方向の距離が小さくなり）、一対のハンガー脚部７７において、ハンガー胴部７６の下端から左右方向の外側に広がる。ハンガー本体部７２の下部エッジ７２２は、一対のハンガー脚部７７において左右方向に延び、一対のハンガー脚部７７の間において、上側に向けて凹状となっている。
【００２６】
ハンガー胴部７６は、外装物品１が着用される際に着用者の胴部を覆う部分の内部に位置する。ハンガー胴部７６の左右の両側部は、外装物品１の左右の端部内にて上下方向に延び、外装物品１の左右の端部に胴部開口１１から脚部開口１２の上端に亘って当接する一対の側部保形部となっている。一対のハンガー脚部７７は、外装物品１が着用される際に着用者の一対の脚部の付け根部が位置する位置に配置される。外装物品１の一対の脚部開口１２の上部は、ハンガー本体部７２の側部エッジ７２１において、ハンガー胴部７６と一対のハンガー脚部７７との境界近傍に設けられた上記窪みに位置し、一対のハンガー脚部７７の上端部７８に係合する。ハンガー７ａでは、一対のハンガー脚部７７の上端部７８（すなわち、ハンガー胴部７６と一対のハンガー脚部７７との境界近傍の部位）が、外装物品１を係止する係止部となっている。
【００２７】
第２の実施の形態に係る包装体では、第１の実施の形態と同様に、外装物品１がハンガー７ａに保持された状態でハンガー７ａと共に縦長状に折り畳まれて、あるいは、縦長状に丸められて包装部材３（図１参照）に収容される。これにより、外装物品１の型崩れを防止することができるとともに、包装体の陳列に必要なスペースを小さくすることができる。また、外装物品１の購入者に対する印象を柔らかいものとすることができる。
【００２８】
ハンガー７ａでは、ハンガー胴部７６の左右の端部が、外装物品１の内部にて外装物品１の左右の端部に当接する一対の側部保形部となる。これにより、第１の実施の形態と同様に、外装物品１の型崩れをさらに防止することができる。また、一対のハンガー脚部７７の上端部７８に、外装物品１の一対の脚部開口１２の上部が係合することにより、外装物品１の型崩れがより一層防止される。
【００２９】
第２の実施の形態に係る包装体では、ハンガー胴部７６が、外装物品１の内部において外装物品１の全幅に亘って設けられる。これにより、ハンガー本体部７２の左右方向における剛性が増大し、ハンガー本体部７２の変形が抑制される。その結果、外装物品１の左右の端部が左右方向の中央側に倒れてしまったり、外装物品１が下側へとずれ落ちてしまう等の外装物品１の型崩れをさらに防止することができる。また、ハンガー７ａが、ハンガー胴部７６およびハンガー脚部７７を備えることにより、ハンガー７ａおよび外装物品１を包装部材３から取り出して左右に広げ、実際に外装物品１を着用した状態に近い形状にて店頭等に展示することが可能となる。
【００３０】
以上、本発明の実施の形態について説明してきたが、本発明は上記実施の形態に限定されるものではなく、様々な変更が可能である。
【００３１】
例えば、ハンガー７，７ａでは、ハンガー本体部７２が変形可能であれば、吊り下げ部７１は、容易に変形しない材料により形成されてもよい。吊り下げ部７１は、上述のような逆Ｊ字状以外の様々な形状であってよい。例えば、ハンガー７の水平部７３やハンガー７ａのハンガー胴部７６から上側に突出する略矩形状や略半円状の突出部に、陳列棚のポールが挿入される穴が設けられ、当該突出部が吊り下げ部となってもよい。あるいは、ハンガー７の水平部７３やハンガー７ａのハンガー胴部７６の上端部に穴が設けられ、当該穴に輪になった紐等を通し、当該紐等を吊り下げ部として利用してもよい。ハンガー本体部７２も、上述の形状以外の様々な形状（例えば、略矩形状）であってよい。
【００３２】
第１の実施の形態に係る包装体５０では、外装物品１の型崩れが防止されるのであれば、一対の側部保形部７４の下端から係止部７５は省略されてもよい。また、一対の側部保形部７４は、必ずしも、外装物品１の胴部開口１１から脚部開口１２の上端に亘って設けられる必要はなく、外装物品１の左右の端部の少なくとも一部に当接していればよい。
【００３３】
第２の実施の形態に係る包装体では、包装部材３の底部３２が薄いプラスチックフィルムのように比較的剛性が低い材料により形成されてもよい。この場合、折り畳まれた、または、丸められた状態で包装部材３内に収容されるハンガー７ａの下端部が、包装部材３の底部３２を介して陳列棚上に載置されることにより、包装体５０が自立した状態で陳列される。包装体を自立させる必要がない場合等、包装部材３の底部３２は省略され、筒状部３１の下端部が接合されて下側開口が閉塞されてもよい。
【００３４】
上記実施形態および各変形例における構成は、相互に矛盾しない限り適宜組み合わされてよい。
【符号の説明】
【００３５】
１    外装物品
３    包装部材
７，７ａ    ハンガー
３１    筒状部
３３    脆弱線
５０    包装体
７１    吊り下げ部
７４    側部保形部
７５    係止部
７６    ハンガー胴部
７７    ハンガー脚部
【図１】
2012240715.tif 000003
【図２】
2012240715.tif 000004
【図３】
2012240715.tif 000005